(57)【要約】【課題】接点の位置ずれを防ぎ、多接点にも対応できるようにする。【解決手段】ランプＲを取り付ける照明架台１０を支柱１に対して昇降可能に設け、その照明架台１０と前記支柱１上部の基台２０の両対向面２１，１１に、それぞれ筒状保護ケース２５，１５を、その筒軸方向が昇降方向になるように設ける。その各筒状保護ケース２５，１５内に前記ランプＲへの給電用の上下接点２２，１２をそれぞれ設け、前記両保護ケース２５，１５をその筒軸方向に同一周方向位置に嵌合可能とするとともに、その嵌合により、上下接点２２，１２を接離可能にする。このようにすれば、前記上下接点２２，１２同士が当接する位置まで照明架台１０の上昇が誘導される。その誘導される筒内に必要な接点が並べて配置されているので、対応する上下両接点２２，１２同士は位置ずれを起こしにくくなる。位置ずれが生じなければ、隣接する接点同士を近接させることができ多接点に対応できる。【選択図】図１
2006120377.tif 000002
【特許請求の範囲】
【請求項１】
ランプＲを取り付ける照明架台１０を支柱１に対して昇降可能に設け、その支柱１上部に設けた基台２０と前記照明架台１０の両対向面２１，１１に、それぞれ、前記ランプＲへの給電用の上下接点２２，１２を接離可能に設けた街路灯構造において、
前記両対向面２１，１１に、それぞれ筒状保護ケース２５，１５を、その筒軸方向が前記照明架台の昇降方向になるように設けて、その各筒状保護ケース２５，１５内に前記上下接点２２，１２をそれぞれ設け、前記両保護ケース２５，１５をその筒軸方向に同一周方向位置に嵌合可能とするとともに、その嵌合により、前記上下接点２２，１２同士が当接する位置まで照明架台１０の上昇が誘導されることを特徴とする街路灯構造。
【請求項２】
前記上下両接点２２，１２には、それぞれ緩衝部材２４，１４が設けられ、その緩衝部材２４，１４により、前記上下各接点２２，１２は当接状態において、それぞれ相互に対向する方向へ付勢されることを特徴とする請求項１に記載の街路灯構造。
【発明の詳細な説明】
【技術分野】
【０００１】
この発明は、ランプ取付用の照明架台を、支柱に昇降可能に取り付けた街路灯の構造に関するものである。
【背景技術】
【０００２】
街路や駐車場、公園、高速道路等に使用される街路灯は、地盤に建柱した支柱上部の照明架台にランプが取り付けられ、そのランプの明かりで広範囲を照らすようになっている。この照明架台は高所に取付けられるため、ランプの交換やメンテナンスが簡単にできるように、その照明架台を支柱に対して昇降可能とする技術が開示されている。
【０００３】
例えば、特許文献１に記載の街路灯は、前記照明架台をワイヤで吊し、そのワイヤを、ウィンチの駆動により回転するローラに巻き取り可能としたものである。ワイヤをローラに巻き取れば、そのワイヤ先端の照明架台が上昇して、照明架台は支柱上部の基台にセットされ点灯できる状態となり、また、ローラを逆回転すれば照明架台は降下するので、地盤上でのランプ等のメンテナンスが可能となる。
【０００４】
その照明架台、及び前記支柱上部の基台には、それぞれ、前記照明架台の上昇時のみ相互に当接する給電用の接点が設けられており、その照明架台側の接点にはランプの端子が、また、前記基台側の接点には電源ケーブルが接続されている。このため、ランプには、照明架台の上昇時のみ通電するとともに、その照明架台の昇降により電源ケーブルが追随して動かないので、ケーブルの弛みや損傷を防止し得るという利点がある。
【０００５】
さらに、特許文献２には、前記照明架台の昇降を案内するガイドを設けた技術が開示されている。
【特許文献１】特開平１１−１９１３１３号公報
【特許文献２】実公昭５９−３４５８号公報
【発明の開示】
【発明が解決しようとする課題】
【０００６】
しかし、上記特許文献１に記載の街路灯では、照明架台が昇降する際に、その照明架台が宙づり状態になる。このため、照明架台は揺れやすくなり、また、その揺れや風等の影響で回転する場合も生じ得るので、照明架台側の接点と、支柱上部の基台側の接点とが位置ずれし、うまく当接しない場合がある。接点が当接しないと、通電状態になるまで前記ウインチの操作を繰り返し、照明架台の昇降動作を続けなければならないので、作業が面倒である。
【０００７】
また、特許文献２に記載の街路灯では、前記ガイドの効果によって照明架台の揺れや回転がある程度防止されるが、その照明架台がそのガイドによって片持ち状態で支持され、そのガイドと前記接点の位置が横方向へ離れている。このため、照明架台の張り出し側の端部が下方へ傾いたり、あるいは、その支柱に対して軸周り方位を変えるなどすれば、前記接点の位置ずれを完全には防止することができない。
【０００８】
さらに、いずれの街路灯においても、照明架台側と基台側の両接点が多接点となれば、その照明架台が基台にセットされる際に位置合わせすべき箇所が増えて、さらに位置ずれを起こす確率が高くなる。また、多接点となれば、位置ずれに伴う接点の接触不良のみならず、接点同士が近接するので、その近接接点同士の短絡の発生も危惧される。このため、この種の昇降式街路灯では、照明架台側と基台側との接点を多接点とすることができず、高電圧、大電流の送電には対応できなかった。
【０００９】
そこで、この発明は、接点の位置ずれを防ぎ、多接点にも対応できるようにすることを課題とする。
【課題を解決するための手段】
【００１０】
上記の課題を解決するために、この発明は、前記両接点の位置と、前記照明架台の昇降を鉛直方向に案内するガイドの位置を一致させたのである。このようにすれば、接点とガイドとが側方に近接しているので、照明架台がガイドによって誘導されている限りにおいて、前記両接点同士は位置ずれを生じにくくなる。位置ずれが生じなければ、隣接する接点同士を近い位置に配置することも可能となり、接点を配置し得る限られたスペース内において、多接点とすることも可能となる。
【発明の効果】
【００１１】
この発明は、以上のようにしたので、接点の位置ずれを防ぐことができ、また、位置ずれが少ないので多接点にも対応できる。
【発明を実施するための最良の形態】
【００１２】
上記手段の具体的実施形態として、ランプを取り付ける照明架台を支柱に対して昇降可能に設け、その支柱上部に設けた基台と前記照明架台との両対向面に、それぞれ、前記ランプへの給電用の上下接点を接離可能に設けた街路灯構造において、前記両対向面に、それぞれ筒状保護ケースを、その筒軸方向が前記照明架台の昇降方向になるように設ける。その各筒状保護ケース内に前記上下接点をそれぞれ設け、前記両保護ケースをその筒軸方向に同一周方向位置に嵌合可能とするとともに、その嵌合により、前記上下接点同士が当接する位置まで照明架台の上昇が誘導されるようにしたのである。
【００１３】
このようにすれば、照明架台が所定の高さに達した際に、前記筒状保護ケース同士が嵌合し、その後、照明架台は基台に向かって正確に上昇するようになる。その誘導される筒内に必要な複数接点が並べて配置されているので、対応する上下両接点同士は、それぞれすぐ側方の保護ケース同士の嵌合によって相互に位置決めされ、その位置ずれを起こしにくくなる。
【００１４】
また、前記照明架台側の下部接点、及び前記基台側の上部接点部に、それぞれ緩衝部材を設け、その緩衝部材により、前記上下各接点は当接状態において、それぞれ相互に対向する方向へ付勢するようにした構成を採用し得る。このようにすれば、照明架台が風や振動により揺動しても、その上下両接点は、それぞれ相互に当接する方向へ付勢されているので、その当接を維持し得る。
【実施例】
【００１５】
一実施例を図１乃至図６に基づいて説明する。この実施例の街路灯構造は、図３及び図４に示すように、地盤Ｇに支柱１の柱脚部５を固定して支柱１を建柱し、その支柱１に、両端にランプＲ付きの照明具６，６を有する照明架台１０を昇降可能に支持する。その照明架台１０の支持は、前記照明架台１０の基板の両端にワイヤ２，２をそれぞれ取付け、その二本のワイヤ２，２を、それぞれ支柱１上部の基台２０に設けた対のプーリＰ３，Ｐ３に掛けて支持する。対のプーリＰ３，Ｐ３によって下方へ反転した両ワイヤ２，２を、図示する接続部材２ａを介してワイヤ２’に接続し、そのワイヤ２’を支柱１下部に設けたプーリＰ１，Ｐ２を経由させて、駆動部３に設けたウィンチ等の駆動によって回転するローラ４に巻き取り可能としたものである。
【００１６】
このワイヤ２’をローラ４に巻き取れば、図４に示すように、前記ワイヤ２，２先端の照明架台１０が上昇して、照明架台１０は支柱１上部の基台２０にセットされ、また、ローラ４を逆回転すれば、図３に示すように、照明架台１０は地盤Ｇ近くに降下する。
【００１７】
前記支柱１上部の基台２０と、この照明架台１０との両対向面２１，１１には、図３及び図４に示すように、それぞれ筒状保護ケース２５，１５を、その筒軸方向が前記照明架台１０の昇降方向（鉛直方向）になるように設けている。各筒状保護ケース２５，１５は、図２に示すように、それぞれ、その基板２５ａ，１５ａが、ボルト２５ｂ，１５ｂ及びナット２５ｃ，１５ｃ、及びクッションゴムを介して前記対向面２１，１１に固定され、両者の筒軸中心が一致する状態となっている。
【００１８】
また、その上下各筒状保護ケース２５，１５内には、図２に示すように、それぞれ、前記ランプＲへの給電用の複数の上部接点２２、及び、それに対応する同数の下部接点１２がそれぞれ上下方向に対向する位置に設けられている。その接点の数は、ランプＲの器具１灯に対し少なくとも２組必要となり、ランプＲの灯数や電源種別に応じて自由に設定し得る。この上下両接点２２，１２は、それぞれ棒状を成して、前記各筒状保護ケース２５，１５の内側にぴったりと嵌められたコネクタ本体２７，１７の各挿通孔２８，１８に挿通される。このコネクタ本体２７，１７は、絶縁性のベークライト製又は同等の絶縁性の性質を有する素材で構成され、ボルト２７ａ，１７ａを介して金属又は樹脂製の前記筒状保護ケース２５，１５に固定されている。
【００１９】
その各挿通孔２８，１８内には、図２に示すように、前記各棒状の接点２２，１２の外周に嵌めたばねで構成される緩衝部材２４，１４が収納されており、その各接点２２，１２を、それぞれ両筒状保護ケース２５，１５が対向する側へ向かって、後端２２ｂ，１２ｂ側から先端２２ａ，１２ａ側へと付勢している。この緩衝部材２４，１４の作用により、前記上下各接点２２，１２は、当接状態において、それぞれ相互に対向する方向へ付勢される。
【００２０】
また、各コネクタ本体２７，１７の先端側は、それぞれ孔２９ａ，１９ａ付の抜け止め２９，１９によって保持されている。また、その上部接点２２の後端２２ｂには、電源ケーブル２３が、下部接点１２の後端１２ｂにはランプＲの端子に通じるケーブル１３が接続され、各ケーブル１３，２３は、それぞれ保護管Ｃで保護されて、支柱１に所定のルートに配線されている。
【００２１】
その対応する上下接点２２，１２同士は、それぞれ一の上部接点２２に対応する下部接点１２がその一の上部接点２２の直下に位置するように設けられている。また、この上下両接点２２，１２同士の当接部となる前記上部接点２２の下端２２ａ、下部接点１２の上端１２ａは、それぞれ水平面となる端面で構成される。
【００２２】
この街路灯構造の作用を説明すると、前記駆動部３の動作により、照明架台１０が、図３に示す状態から図４に示す状態へと上昇すると、図６に示すように、上下方向に対向する前記両対向面２１，１１に設けた前記筒状保護ケース２５の内側に、筒状保護ケース１５が嵌合する。このとき、上部の筒状保護ケース２５の内周２６に設けた長溝２６ａが、下部の筒状保護ケース１５の外周１６に設けた突条１６ａに嵌って、両保護ケース２５，１５を同一周方向に嵌合できるように誘導し、また、前記内外周２６，１６同士が摺動して、昇降架台１０の上昇を鉛直方向へと誘導する。
【００２３】
この誘導により、両筒状保護ケース２５，１５同士が、その筒軸方向に同一周方向位置に嵌合可能となり、その嵌合により、前記上下接点２２，１２同士が当接する位置まで照明架台１０の上昇が誘導されるので、その両筒状保護ケース２５，１５内にそれぞれ配置された接点２２，１２は、位置ずれすることなく当接できる。また、照明架台１０が基台２０に向かって正確に上昇するようになるので、その誘導される筒内にそれぞれ配置された接点２２，１２は、その対応する上下両接点２２，１２同士が位置ずれを起こしにくくなる。位置ずれが生じなければ、隣接する接点同士をさらに近い位置に配置することも可能となり、コネクタの多接点化に対応できるようになる。なお、コネクタが多接点に対応できるようになれば、電源ケーブルを高電圧、大電流化できるので、街路灯の電力効率化にも効果がある。
【００２４】
なお、この上下接点２２，１２は、前記照明架台１０が上昇して、基台２０にセットされた状態でのみ上下接点２２，１２同士が当接して通電し、昇降架台１０が所定の高さ以下に降下すれば、その当接部が離れて通電が遮断されるようになっているが、照明架台１０が、風や振動により遥動した際には、前記緩衝部材２４，１４の作用により、上下両接点２２，１２の当接部同士が離れることなくその当接を維持し、通電を継続し得るようになっている。また、その当接面が双方水平面であるので、上下両筒状保護ケース２５，１５同士の嵌合に僅かな芯ずれ（両者の嵌合が、本来嵌合すべき軸中心からずれた状態）が生じた場合にも、その上下両接点の接触面積を一定以上確保し得るように設定できる。このため、必要電圧、必要電流を常に確保し得るようになる。
【００２５】
なお、この実施例においては、前記筒状保護ケース１５，２５は、図６に示すように、前記両対向面２１，１１における支柱１の外側、所定の方位に部分に設けられているが、その設置場所は、筒状保護ケース１５，２５の両者が、前記上下両対向面１１，２１内に嵌合可能に設けられる限りにおいて自由である。また、両筒状保護ケース２５，１５の外側において、位置決め用のピンを併設してもよい。すなわち、前記筒状保護ケース１５，２５のいずれか一方の外側に上下方向のピンを設け、他方にはそのピンがぴったりと収納される収納穴を形成した態様が考えられる。このようにすれば、接点の位置合わせがさらに正確となる。
【００２６】
また、この実施例の昇降架台１０にはランプＲを有する照明具６は二つ設けたが、この実施例には限定されず、照明具６の数は自由である。また、照明架台１０を昇降させる手段についても、この実施例に限定されるものではなく、例えば、ウインチがポール内に収納されるようにした態様においては、Ｐ１，Ｐ２のプリーを介さず、直接ポール内に設置したウインチに巻き取るようにすることもできる。
【００２７】
さらに、前記両接点２２，１２同士の前記当接面は、図１に示す両筒状保護ケース２５，１５の嵌合状態において、両抜け止め２９，１９間の中央で当接、密着して通電するようにしてもよいし、例えば、図７（ａ）（ｂ）に示すように、いずれか一方の接点が対向する他方の抜け止め内に貫入した状態で当接、密着するようにしてもよい。この当接位置は、各接点２２，１２の長さや、その上下方向の設置位置、前記緩衝部材２４，１４の付勢力等を調整することにより設定可能である。また、図７（ｃ）（ｄ）に示すように、接点２２の下端２２ａ，接点１２の上端１２ａを一部面取りした構成も採用し得る。
【図面の簡単な説明】
【００２８】
【図１】一実施例の要部拡大図で、上下接点同士が当接した状態を示す
【図２】図１の上下接点同士は離れた状態を示す
【図３】同実施例の全体図で、照明架台が降下した状態を示す
【図４】図３の照明架台が上昇した状態を示す
【図５】照明架台を昇降させる駆動部を示す詳細図
【図６】照明架台と基台を示す詳細図
【図７】他の実施例の接点を示す要部拡大図
【符号の説明】
【００２９】
１  支柱
２，２’  ワイヤ
３  駆動部
４  ローラ
５  柱脚部
６  照明具
１０  照明架台
１１，２１  対向面
１２  下部接点
１３，２３  ケーブル
１４，２４  緩衝部材
１５  下部筒状保護ケース
１６  外周
１７  下部コネクタ本体
１８，２８  接点挿通孔
１９，２９  抜け止め
２０  基台
２２  上部接点
２５  上部筒状保護ケース
２６  内周
２７  上部コネクタ本体
Ｃ  保護管
Ｇ  地盤
【図１】
2006120377.tif 000003
【図２】
2006120377.tif 000004
【図３】
2006120377.tif 000005
【図４】
2006120377.tif 000006
【図５】
2006120377.tif 000007
【図６】
2006120377.tif 000008
【図７】
2006120377.tif 000009